(57)【要約】【課題】不要なスイッチ操作を行うことなく意図しない電源遮断を回避し得るテレビを提供する。【解決手段】スイッチ操作に伴って出力される操作信号を検出する検出部と、規定時間を計時するタイマーと、規定時間内に検出部によって操作信号が検出されなかったときに（ステップ３１）電源部を制御して電源を遮断させる制御部とを備えたテレビであって、制御部は、テレビを操作する操作信号がタイマーによる規定時間の計時中に検出部によって検出されたとき（ステップ３４）、および外部機器を遠隔操作する操作信号がタイマーによる規定時間の計時中に検出部によって検出されたとき（ステップ３７）のいずれかにおいてタイマーをリセットする（ステップ３６）。【選択図】図２
2006310922.tif 000002
【特許請求の範囲】
【請求項１】
スイッチ操作に伴って出力される操作信号を検出する検出部と、規定時間を計時するタイマーと、当該規定時間内に前記検出部によって前記操作信号が検出されなかったときに電源部を制御して電源を遮断させる制御部とを備えたテレビであって、
前記制御部は、当該テレビを操作する操作信号と、外部機器を遠隔操作する前記操作信号とのいずれかが前記タイマーによる前記規定時間の計時中に前記検出部によって検出されたときに当該タイマーをリセットするテレビ。
【請求項２】
複数の前記外部機器のうちから予め選択された外部機器を遠隔操作する前記操作信号の特定が可能な操作信号情報を記憶する記憶部を備え、
前記制御部は、前記記憶部に記憶されている前記操作信号情報に対応する操作信号と、当該テレビを操作する操作信号とのいずれかが前記タイマーによる前記規定時間の計時中に前記検出部によって検出されたときに当該タイマーをリセットする請求項１記載のテレビ。
【発明の詳細な説明】
【技術分野】
【０００１】
本発明は、規定時間内に操作信号が出力されなかったときに電源が遮断されるテレビに関するものである。
【背景技術】
【０００２】
この種のテレビとして、各種省電力モードでの動作が可能に構成された記録再生機能付きのテレビ（カセットテープ式磁気記録再生装置：以下「記録再生装置」ともいう）が特開２０００−３６１４３号公報に開示されている。この記録再生装置では、映像信号切り換え回路がシステムコントロール回路の制御に従ってＴＶチューナーからの映像信号を映像信号出力端子に出力する。これにより、ＴＶチューナーによって受信された信号に基づく放送番組が表示される。この場合、放送番組を表示させている状態（視聴状態）において利用者が操作部を一定時間（規定時間）操作しなかったときには、システムコントロール回路が、カウンターからの時間情報よって一定時間に亘って無操作状態が継続したと判断し、電源を遮断する旨の警告（メッセージ）を表示部に表示させる。この際に、利用者によっていずれかの操作スイッチが操作されたとき（すなわち、利用者が電源遮断を所望していないとき）には、システムコントロール回路は、カウンターをリセットして放送番組の表示を継続させる。一方、メッセージの表示後に操作スイッチの操作が検出されなかったときには、システムコントロール回路は、利用者が電源の遮断を許容するものと判別して電源部を制御して電源を遮断させる。
【特許文献１】特開２０００−３６１４３号公報（第３頁）
【発明の開示】
【発明が解決しようとする課題】
【０００３】
ところが、従来の記録再生装置には、以下の問題点がある。すなわち、従来の記録再生装置では、放送番組等を表示させている状態において規定時間内にいずれのスイッチも操作されなかったときにシステムコントロール回路が電源部を制御して電源を遮断させる構成が採用されている。この場合、今日のテレビは、例えばＤＶＤプレーヤ等の外部機器から出力される映像信号に基づく映像を表示させるモニターとして利用される機会が増えている。したがって、例えばＤＶＤプレーヤによって映画ソフトを再生してテレビに表示させている状態では、ＤＶＤプレーヤに対してはチャプター選択操作やアングル切り換え操作が行われるものの、テレビに対しては映画ソフトの再生が完了するまでスイッチ操作が一切行われないことがある。このため、従来の記録再生装置のような無操作時電源遮断処理を実行するテレビでは、外部機器から出力された信号に基づく映像の視聴時にテレビに対する無操作状態が継続して意図しない電源遮断を招くことがあり、これを回避するために、例えば、本来は不要な音量調節ボタン等の操作を実行しなければならないという問題点が存在する。
【０００４】
本発明は、かかる問題点に鑑みてなされたものであり、不要なスイッチ操作を行うことなく意図しない電源遮断を回避し得るテレビを提供することを主目的とする。
【課題を解決するための手段】
【０００５】
上記目的を達成すべく本発明に係るテレビは、スイッチ操作に伴って出力される操作信号を検出する検出部と、規定時間を計時するタイマーと、当該規定時間内に前記検出部によって前記操作信号が検出されなかったときに電源部を制御して電源を遮断させる制御部とを備えたテレビであって、当該テレビを操作する操作信号と、外部機器を遠隔操作する前記操作信号とのいずれかが前記タイマーによる前記規定時間の計時中に前記検出部によって検出されたときに前記制御部が当該タイマーをリセットする。
【０００６】
このテレビでは、テレビを操作する操作信号と、外部機器を遠隔操作する操作信号とのいずれかが検出部によって検出されたときに制御部がタイマーをリセットする。したがって、このテレビによれば、例えば、外部機器から出力された信号に基づく映像の視聴に際してテレビを遠隔操作する操作が一切行われなかったときであったとしても、外部機器を遠隔操作することによって外部機器用のリモコンから操作信号が出力された際にタイマーをリセットすることができる。この結果、このテレビによれば、意図しない電源遮断を回避するために不要なリモコン操作を行うことなく、外部機器からの信号に基づく映像の表示を継続させることができる。
【０００７】
また、本発明に係るテレビは、複数の前記外部機器のうちから予め選択された外部機器を遠隔操作する前記操作信号の特定が可能な操作信号情報を記憶する記憶部を備え、前記記憶部に記憶されている前記操作信号情報に対応する操作信号と、当該テレビを操作する操作信号とのいずれかが前記タイマーによる前記規定時間の計時中に前記検出部によって検出されたときに前記制御部が当該タイマーをリセットする。
【０００８】
このテレビでは、記憶部に記憶されている操作信号情報に対応する操作信号と、テレビを操作する操作信号とのいずれかが検出部によって検出されたときに制御部がタイマーをリセットする。したがって、このテレビによれば、利用者によって選択された外部機器を遠隔操作する操作信号と、テレビを操作する操作信号とのいずれかが検出されたときにだけタイマーがリセットされるため、例えば空調設備や照明器具の遠隔操作時に出力される操作信号が検出されてタイマーが誤ってリセットされる事態を回避することができる。
【発明を実施するための最良の形態】
【０００９】
以下、本発明に係るテレビの最良の形態について、添付図面を参照して説明する。図１に示すテレビ１は、テレビ映像や、再生装置（ビデオデッキやＤＶＤプレーヤなどのＡＶ機器）によって再生された映像等を表示可能に構成されたリアプロジェクション型のテレビであって、リモコン２などに配設された操作スイッチの操作による各種の遠隔操作が可能に構成されている。この場合、リモコン２は、テレビ１を遠隔操作するための各種スイッチが配設されたテレビ１専用のコントローラであって、スイッチ操作に伴って操作信号Ｓ１（本発明における「テレビを操作する操作信号」に相当し、一例として、赤外線信号）を出力する。また、同図に示すリモコン３は、一例として、テレビ１に接続されたＤＶＤプレーヤ等の各種再生装置、テレビ１に接続された各種デジタルチューナ、および再生装置やデジタルチューナに接続されたサラウンドアンプ等の各種音響機器など（本発明における外部機器の一例であって、いずれも図示せず）を遠隔操作するための外部機器専用のコントローラであって、スイッチ操作に伴って操作信号Ｓ２（本発明における「外部機器を遠隔操作する操作信号」に相当し、一例として、赤外線信号）を出力する。
【００１０】
一方、テレビ１は、チューナ１１、信号入力部１２、映像音声処理部１３、音声信号出力部１４、スピーカ１５、映像信号出力部１６、表示部１７、受信部１８、コード解析部１９、コード情報記憶部２０、本体操作部２１、スイッチ操作処理部２２、電源部２３、制御部２４およびタイマー２５を備えている。チューナ１１は、制御部２４の制御に従い、指定されたチャンネルの放送信号を図外のアンテナで受信して映像音声処理部１３に出力する。信号入力部１２は、ＤＶＤプレーヤ等の各種再生装置（外部機器）を接続可能に構成されて、接続された再生装置からの再生信号（映像信号および音声信号）を映像音声処理部１３に出力する。映像音声処理部１３は、一例としてＩＦ回路、音声検波回路、映像検波回路およびＡ／Ｄ変換部（いずれも図示せず）などを備え、チューナ１１から出力された放送信号や信号入力部１２から出力された再生信号に基づく音声信号および映像信号を音声信号出力部１４および映像信号出力部１６に出力する。
【００１１】
音声信号出力部１４は、映像音声処理部１３から出力された音声信号を増幅してスピーカ１５に出力する。スピーカ１５は、音声信号出力部１４から出力された音声信号に対応する音声を出力する。映像信号出力部１６は、映像音声処理部１３から出力された映像信号に対する映像処理を実行して表示用信号を生成して、表示部１７に出力する。表示部１７は、光学エンジンおよびスクリーンパネル等（図示せず）を備え、映像信号出力部１６から出力された表示用信号に基づく各種画像を表示する。具体的には、表示部１７は、出力された表示用信号に基づいて光変調した投射光をスクリーンパネルに背面側から投射することで各種画像をスクリーンパネルに表示する。この場合、上記の光学エンジンは、例えば、光源と、光変調素子（一例として、デジタルマイクロミラーデバイスや液晶ライトバルブ）と、投射レンズ（いずれも図示せず）とを備えて構成されている。
【００１２】
受信部１８は、コード解析部１９およびスイッチ操作処理部２２と相俟って本発明における検出部を構成し、上記のリモコン２，３から出力される操作信号Ｓ１，Ｓ２（赤外線信号）を受信してコード解析部１９に出力する。コード解析部１９は、後述するように、受信部１８から出力された操作信号Ｓ１，Ｓ２等の制御コードを解析して、いずれの装置を遠隔操作するための操作信号であるかを特定する。具体的には、コード解析部１９は、制御コードの解析の結果、受信部１８によって受信された操作信号がテレビ１を遠隔操作するための操作信号Ｓ１であると判別したときには、その操作信号Ｓ１をスイッチ操作処理部２２に出力する。また、コード解析部１９は、後述するように利用者によって予め選択された外部機器（この例では、上記のＤＶＤプレーヤやビデオデッキ等）を遠隔操作するための操作信号Ｓ２であると判別したときには、選択された外部機器を遠隔操作する操作信号が検出された旨を報知する検出信号Ｓ４をスイッチ操作処理部２２に出力する。さらに、コード解析部１９は、予め選択された外部機器以外の機器を遠隔操作するための操作信号（以下、選択外の機器から出力される操作信号を「操作信号Ｓｎ」ともいう）であると判別したとき、すなわち、予め選択された外部機器を遠隔操作するための操作信号Ｓ２ではないと判別したときには、選択された外部機器以外の機器を遠隔操作する操作信号Ｓｎが検出された旨を報知する検出信号Ｓ４をスイッチ操作処理部２２に出力する。なお、再生装置専用のリモコンのなかには、テレビ１を遠隔操作する操作信号を出力可能なコントローラが存在するが、本発明についての理解を容易にするために、テレビ１を遠隔操作するために再生装置専用のリモコンから出力される操作信号については、以下の説明における操作信号Ｓ１に含まれているものとする。
【００１３】
コード情報記憶部２０は、本発明における記憶部に相当し、利用者によって予め選択された外部機器を遠隔操作するための上記の操作信号Ｓ２を特定可能なコード情報Ｄｃ（本発明における「操作信号情報」の一例）を記憶する。本体操作部２１は、電源スイッチ、チャンネル切り替えスイッチおよび音量調整スイッチなどの各種操作スイッチを備え、これらの操作に対応する操作信号Ｓ３をスイッチ操作処理部２２に出力する。スイッチ操作処理部２２は、リモコン２からの操作信号Ｓ１の出力や本体操作部２１からの操作信号Ｓ３の出力を監視し、出力された操作信号Ｓ１，Ｓ３に対応して各部を制御させる制御信号Ｓ５を制御部２４に出力する。また、スイッチ操作処理部２２は、予め選択された外部機器を遠隔操作する操作信号Ｓ２が検出された旨の検出信号Ｓ４が出力されたときにその旨を報知する制御信号Ｓ５を制御部２４に出力し、予め選択された外部機器以外の機器を遠隔操作する操作信号Ｓｎが検出された旨の検出信号Ｓ４が出力されたときにその旨を報知する制御信号Ｓ５を制御部２４に出力する。
【００１４】
電源部２３は、制御部２４の制御に従ってテレビ１の各部に電源を供給する。制御部２４は、テレビ１の各部を総括的に制御する。具体的には、制御部２４は、スイッチ操作処理部２２から制御信号Ｓ５が出力されたときに、制御信号Ｓ５によって指示された内容に従ってチューナ１１や信号入力部１２を制御することにより、放送信号や再生信号を映像音声処理部１３に出力させる。また、制御部２４は、電源スイッチが操作された際に電源部２３に制御信号Ｓ７を出力してテレビ１の各部に電源を供給させると共にタイマー２５を制御して計時を開始させ、後述する無操作時電源遮断処理３０（図２参照）を開始する。さらに、制御部２４は、無操作時電源遮断処理３０の実行時において所定の条件が満たされたときに電源部２３に制御信号Ｓ７を出力して電源を遮断させる。タイマー２５は、制御部２４の制御に従って計時（規定時間のカウント）を開始し、規定時間が経過した時点でタイマー信号Ｓ６を制御部２４に出力する。
【００１５】
次に、テレビ１の全体的な動作について、図面を参照して説明する。このテレビ１の利用開始に際しては、本発明における「予め選択された外部機器」の一例として、テレビ１の使用に際して同時に使用する外部機器（ＤＶＤプレーヤ、ビデオデッキおよびサラウンドアンプなど）を登録する。具体的には、例えばＤＶＤプレーヤの登録に際しては、リモコン２のメニュースイッチ（図示せず）を操作して動作条件設定用画面を表示部１７に表示させ、ＤＶＤプレーヤの製造メーカー、リモコンコードの種類等を順に選択する。これにより、登録が完了して、このＤＶＤプレーヤを遠隔操作するための操作信号Ｓ２を特定可能なコード情報Ｄｃがコード情報記憶部２０に記憶される。次いで、後述する無操作時電源遮断処理３０によって電源を遮断させるまでの待機時間を設定する。具体的には、動作条件設定用画面上において、待機時間として予め用意されている待機時間候補（一例として、３０分、６０分、９０分および１２０分の４つの候補）のうちから所望の候補を選択する。この際には、一例として、「６０分」を選択する。
【００１６】
一方、上記のような動作条件の設定が完了した状態において、例えば、信号入力部１２に接続されているＤＶＤプレーヤによってＤＶＤソフトを再生してテレビ１によって視聴するときには、まず、リモコン２の入力ソース切り換えボタン（図示せず）を操作する。この際には、リモコン２から入力ソースを切り替える旨の操作信号Ｓ１が出力され、これに応じて、制御部２４が信号入力部１２を制御してＤＶＤプレーヤからの再生信号を映像音声処理部１３に出力させる。また、映像音声処理部１３は、再生信号に基づく音声信号を音声信号出力部１４に出力すると共に映像信号を映像信号出力部１６に出力する。この際に、音声信号出力部１４は、映像音声処理部１３から出力された音声信号を増幅してスピーカ１５に出力する。また、映像信号出力部１６は、映像音声処理部１３から出力された映像信号に基づいて生成した表示用信号を表示部１７に出力する。これにより、ＤＶＤプレーヤから出力された再生信号に基づく映像が表示部１７のスクリーンパネルに表示されると共に、この映像に対応する音声が所定の音量でスピーカ１５から出力される。
【００１７】
この場合、このテレビ１では、電源が投入された時点において、制御部２４が図２に示す無操作時電源遮断処理３０を開始する。この無操作時電源遮断処理３０では、制御部２４が、上記の動作条件設定用画面上で設定された電源遮断までの待機時間（本発明における規定時間：この例では、６０分）を経過したか否かを監視すると共に（ステップ３１）、操作信号が出力されたか否か（受信部１８によって操作信号Ｓ１，Ｓ２，Ｓｎが受信されたか否か）を監視する（ステップ３２）。この際に、例えばＤＶＤソフトの再生中に利用者が居眠りするなどしてリモコン２，３を操作することなく６０分が経過した際には、制御部２４は、タイマー２５からタイマー信号Ｓ６が出力された時点で、６０分が経過したと判別し（ステップ３１）、電源部２３に制御信号Ｓ７を出力して電源を遮断させた後に（ステップ３３）、この無操作時電源遮断処理３０を終了する。これにより、視聴されることのない映像を表示し続けることによる電力の浪費が回避される。
【００１８】
一方、制御部２４は、ステップ３２において何らかの操作信号の出力有りと判別したとき（受信部１８が操作信号を受信したとき）には、制御部２４は、スイッチ操作処理部２２からの制御信号Ｓ５に基づき、その操作信号がテレビ１を操作するための操作信号Ｓ１，Ｓ３であるか否かを判別する（ステップ３４）。この際に、例えば、テレビ１の音量を調整する操作信号Ｓ１が受信部１８によって受信されたとき、或いは、操作信号Ｓ３が本体操作部２１から出力されたときには、制御部２４は、映像音声処理部１３を介して音声信号出力部１４を制御し、スピーカ１５から出力されている音声を操作信号Ｓ１に対応する音量に調整させる（ステップ３５）。次いで、制御部２４は、タイマー２５をリセットし（ステップ３６）、ステップ３１に戻って規定時間の経過および操作信号の出力の有無（ステップ３２）を監視する。
【００１９】
また、制御部２４は、ステップ３４において、操作信号がテレビ１を遠隔操作するための操作信号Ｓ１ではないと判別したときに、受信部１８によって受信された操作信号が、前述した動作条件設定用画面上でテレビ１に登録された外部機器を遠隔操作するための操作信号Ｓ２であるか否かを判別する（ステップ３７）。この場合、例えば上記のＤＶＤプレーヤを遠隔操作するための操作信号Ｓ２が受信部１８によって受信されたときには、コード解析部１９が、コード情報記憶部２０に記憶されているコード情報Ｄｃに基づき、テレビ１に登録されている外部機器を遠隔操作するための操作信号Ｓ２が出力されたと判別して、その旨を示す検出信号Ｓ４をスイッチ操作処理部２２に出力する。この際には、スイッチ操作処理部２２が登録されている外部機器を遠隔操作する操作信号Ｓ２が検出された旨を示す制御信号Ｓ５を制御部２４に出力し、これに応じて、制御部２４がタイマー２５をリセットする（ステップ３６）。この後、制御部２４は、ステップ３１に戻って規定時間の経過および操作信号の出力の有無の監視を続行する。一方、ステップ３７において登録されている外部機器を遠隔操作するための操作信号ではないと判別したときには、制御部２４は、タイマー２５をリセットすることなく、ステップ３１に戻って規定時間の経過および操作信号の出力の有無の監視を続行する。
【００２０】
このように、このテレビ１によれば、テレビ１を操作する操作信号Ｓ１と、外部機器（この例では、ＤＶＤプレーヤやビデオデッキ等の再生装置）を遠隔操作する操作信号Ｓ２とのいずれかが受信部１８によって受信されたときに制御部２４がタイマー２５をリセットすることにより、例えば、外部機器から出力された信号に基づく映像の視聴に際してテレビ１を遠隔操作する操作が一切行われなかったときであったとしても、外部機器を遠隔操作することによってリモコン３から操作信号Ｓ２が出力された際にタイマー２５をリセットすることができる。したがって、このテレビ１によれば、意図しない電源遮断を回避するために不要なリモコン２の操作を行うことなく、外部機器からの信号に基づく映像の表示を継続させることができる。
【００２１】
また、このテレビ１によれば、コード情報記憶部２０に記憶されているコード情報Ｄｃに対応する操作信号Ｓ２と、テレビ１を操作する操作信号Ｓ１とのいずれかが受信部１８によって受信されたときに制御部２４がタイマー２５をリセットすることにより、利用者によって選択された外部機器を遠隔操作する操作信号Ｓ２と、テレビ１を操作する操作信号Ｓ１，Ｓ３とのいずれかが検出されたときにだけタイマー２５がリセットされるため、例えば空調設備や照明器具の遠隔操作時に出力される操作信号が検出されてタイマー２５が誤ってリセットされる事態を回避することができる。
【００２２】
なお、本発明は、上記の構成に限定されない。例えば、リアプロジェクション型のテレビについて上記したが、液晶表示器、プラズマ表示器および有機ＥＬ表示器等の各種表示器を備えたテレビに本発明を適用することができる。この場合、本発明におけるテレビとしては、表示器とチューナとが別体に構成された各種テレビが含まれる。また、モニター（チューナを備えていない表示装置）に本発明を適用することもできる。さらに、本発明における外部機器は、上記のようなＤＶＤプレーヤやビデオデッキに限定されず、各種デジタルチューナや、音響機器がこれに含まれる。また、本発明における「予め選択された外部機器」については、前述したように利用者が動作条件の設定操作によって選択した外部機器のみならず、テレビ１の製造時に製造メーカーが予め選択して登録した外部機器がこれに含まれる。さらに、本体操作部２１に接続された外部機器を自動検出して、その外部機器についてのコード情報Ｄｃを自動的にコード情報記憶部２０内に生成する構成を採用することもできる。
【図面の簡単な説明】
【００２３】
【図１】テレビ１の構成を示す構成図である。
【図２】無操作時電源遮断処理３０のフローチャートである。
【符号の説明】
【００２４】
１  テレビ、２，３  リモコン、１８  受信部、１９  コード解析部、２０  コード情報記憶部、２１  本体操作部、２２  スイッチ操作処理部、２３  電源部、２４  制御部、２５  タイマー、３０  無操作時電源遮断処理、Ｄｃ  コード情報、Ｓ１〜Ｓ３  操作信号、Ｓ４  検出信号、Ｓ６  タイマー信号、Ｓ５，Ｓ７  制御信号
【図１】
2006310922.tif 000003
【図２】
2006310922.tif 000004